(57)【要約】【課題】位相制御特性を悪化させることなく、電圧歪みの影響を受け難くしたサイリスタ整流器を用いた位相制御装置を提供する。【解決手段】サイリスタ整流器３による制御によって変化する交流電圧と予め設定した目標電圧とから算出された偏差電圧と、交流電圧から得たサイリスタ整流器３のゲート点弧の基準となる基準位相を同期信号として出力されたゲートパルス信号により交流電圧が目標電圧となるように制御するもので、同期信号を、当該同期信号に基づくゲートパルス信号を検出した時点から一定時間だけ同期信号保持回路２４に保持し、その後に保持を解除して当該同期信号によってサイリスタ整流器３を位相制御することを特徴とする。【選択図】図１
2009268167.tif 000002
【特許請求の範囲】
【請求項１】
サイリスタ整流器による制御によって変化する交流電圧と予め設定した目標電圧とから算出された偏差電圧と、前記交流電圧から得た前記サイリスタ整流器のゲート点弧の基準となる基準位相を同期信号として出力されたゲートパルス信号により前記交流電圧が前記目標電圧となるように制御する前記サイリスタ整流器による位相制御装置であって、
前記同期信号を、当該同期信号に基づくゲートパルス信号を検出した時点から一定時間だけ同期信号保持部に保持し、その後に保持を解除して当該同期信号によって前記サイリスタ整流器を位相制御することを特徴とする位相制御装置。
【請求項２】
サイリスタ整流器による制御によって変化する交流電圧と予め設定した目標電圧とから算出された偏差電圧と、前記交流電圧から得た前記サイリスタ整流器のゲート点弧の基準となる基準位相を同期信号として出力されたゲートパルス信号により前記交流電圧が前記目標電圧となるように制御する前記サイリスタ整流器による位相制御装置であって、
前記同期信号を、当該同期信号に基づくゲートパルス信号を検出した時点から転流完了時点まで同期信号保持部に保持し、その後に保持を解除して当該同期信号によって前記サイリスタ整流器を位相制御することを特徴とする位相制御装置。
【請求項３】
前記転流完了時点を、前記サイリスタ整流器の前記同期信号を得るための交流電源の電流波形を常時検出して得ることを特徴とする位相制御装置。
【請求項４】
サイリスタ整流器による制御によって変化する交流電圧と予め設定した目標電圧とから算出された偏差電圧と、前記交流電圧から得た前記サイリスタ整流器のゲート点弧の基準となる基準位相を同期信号として出力されたゲートパルス信号により前記交流電圧が前記目標電圧となるように制御する前記サイリスタ整流器による位相制御装置であって、
前記同期信号を、当該同期信号に基づくゲートパルス信号を検出した時点から前記サイリスタ整流器の制御入力量に基づき算出された転流完了時点まで同期信号保持部に保持し、その後に保持を解除して当該同期信号によって前記サイリスタ整流器を位相制御することを特徴とする位相制御装置。
【発明の詳細な説明】
【技術分野】
【０００１】
本発明は、例えば同期発電機等の同期機の励磁制御装置に用いられるサイリスタ整流器による位相制御装置に関する。
【背景技術】
【０００２】
サイリスタ整流器を用いた位相制御装置を同期機に適用したものとしては、例えば同期発電機の出力電圧を電圧設定値に一致させるよう制御するための励磁制御装置をサイリスタ整流器によるサイリスタ励磁装置で形成し、その励磁制御装置を、同期発電機の励磁量を位相制御する２台の電圧調整器を備える２重化構成の励磁制御部として構成したものがある（例えば、特許文献１参照）。
【０００３】
こうした同期機、例えば同期発電機の励磁制御装置に適用されている従来のサイリスタ整流器を用いた位相制御装置について、以下、図８乃至図１０を参照して説明する。
【０００４】
図８は同期発電機機の励磁制御装置の構成図である。図８において、１は同期発電機、２は同期発電機１の界磁巻線で、３は界磁巻線２に界磁電力を供給するサイリスタ整流器、４は同期発電機１の出力側電路に接続され、サイリスタ整流器３の交流電源として動作する励磁用変圧器である。５は自動電圧調整器（ＡＶＲ）で、同期発電機１の出力側電路に接続された電圧変成器６の出力電圧と電圧設定器７に設定された目標電圧とを比較して偏差電圧を出力する差電圧検出器８と、励磁用変圧器４の出力側に接続された同期信号用変圧器９を介してサイリスタ整流器３の交流電源の線間電圧を同期信号として同期信号検出回路１０で取り込み、その電圧が０Ｖとなるポイントを基準点（ゼロクロス）とし、ここからの制御遅れ角αだけ遅れたタイミングでサイリスタ整流器３の当該相のサイリスタを点弧、整流動作させるようゲートパルス信号を出力する位相制御回路１１を備えている。なお、１２は差電圧検出器８の偏差電圧を増幅する増幅器である。
【０００５】
このように構成されているので、同期発電機１の出力側電路の電圧が目標電圧より低下した場合には、サイリスタ整流器３に位相の進んだゲートパルス信号が位相制御回路１１から出力される。そして、サイリスタ整流器３は励磁用変圧器４を入力電源として、ゲートパルス信号により所望の励磁電流を界磁巻線に流す。これにより同期発電機１の出力電圧が増加し、出力側電路の電圧は目標電圧に引き戻され一定値に制御される。
【０００６】
同様に、同期発電機１の出力側電路の電圧が目標電圧より上昇した場合には、サイリスタ整流器３に位相の遅れたゲートパルス信号が位相制御回路１１から出力される。そして、サイリスタ整流器３は励磁用変圧器４を入力電源として、ゲートパルス信号により所望の励磁電流を界磁巻線に流す。これにより同期発電機１の出力電圧が低下し、出力側電路の電圧は目標電圧に引き戻され一定値に制御される。
【０００７】
こうした従来のサイリスタ整流器を用いた位相制御装置においては、転流現象を無視した場合、制御角αを０°〜９０°まで変化させると、直流側に現れる交流電圧波形が変化し、直流電圧の平均値を自由に制御することができる。しかし、同期発電機１の界磁部分の構成について見ると、例えば図９に示すように、界磁巻線２と６個のＵ，Ｘ，Ｖ，Ｙ，Ｗ，Ｚの各サイリスタで構成されるサイリスタ整流器３と、さらに転流リアクタンス１３と相電圧ＥＵ０，ＥＶ０，ＥＷ０を用いた等価回路とした励磁用変圧器４とで表すことができる。
【０００８】
そこで励磁用変圧器４のインダクタンスを考慮した場合における転流の様子を説明するための図１０においてみると、Ｗサイリスタが導通しているときにＵサイリスタを点弧すると、電流は直ちにＷサイリスタからＵサイリスタへと移ると考えられてきたが、実際には励磁用変圧器４のインダクタンスによりＷサイリスタの電流も連続的にしか変化せず、直ぐに０とはならない。
【０００９】
ここで図１０中の（ａ）の時点でＷサイリスタが導通しており、出力のＶＰの電位はＶＮと同電位であるため、Ｕサイリスタのカソード側の電位もＶＴである。そして、Ｕサイリスタのアノード側の電位はＶＲであるが、（ａ）の時点からＶＲがＶＴより大きくなるため、Ｕサイリスタに順電位が印加されることになる。また、（ａ）の時点から制御角α経過後の（ｂ）の時点でＵサイリスタにゲートパルス信号ＰＵを与えるとＵサイリスタはターンオンし、Ｒ相とＴ相の線間短絡電流がｉＣとしてＷサイリスタに逆向きに流れる。Ｗサイリスタの電流は（ｂ）の時点では直流電流Ｉｄであるが、Ｕサイリスタがターンオンするとともに減少し、（ｃ）の時点で０となる。Ｗサイリスタは逆向きの電流を阻止すため、（ｃ）の時点でＲ相とＴ相の線間短絡は終了し、直流電流ＩｄはＷサイリスタからＵサイリスタに移る転流が生じる。
【００１０】
この転流期間中のＶＰの電位はＶＲとＶＴとの中間電位となり、転流を考慮しない場合と比較して、直流電圧も図１０中の斜線部分の面積だけ低下する。この電圧低下は転流リアクタンス降下であり、この転流期間中の角度が重なり角ｕである。そして、直流電圧波形は交流電圧波形をつなぎ合わせたものであり、リップルを含んでいるが、直流電圧Ｖｄはその平均値で、
Ｖｄ＝［〔（３√２）／π〕Ｖａｃ＊ｃｏｓα］−（３／π）Ｘｔ＊Ｉｄ    …（１）式
但し、  Ｖａｃ：交流電圧（線間電圧実効値）
α    ：制御角
Ｘｔ  ：励磁用変圧器のインピーダンス（転流インピーダンス）
Ｉｄ  ：直流電流
で示される。そして、〔（３／π）Ｘｔ＊Ｉｄ〕は転流リアクタンス降下であり、変圧器のインピーダンスＸｔが大きいほど、また直流電流Ｉｄが大きいほど大きくなる。
【００１１】
また重なり角ｕの影響は、（１）式及び図１０に示す波形から判るように、
（イ）変換後の直流電圧Ｖｄが小さくなる。すなわち直流側の電圧降下となる。
（ロ）サイリスタ整流器の交流入力電圧が歪む。
（ハ）電流波形が遅れの方向にずれるので、力率が悪くなる。
（ニ）インバータ領域（α＜９０°）では重なり角ｕが大きくなると転流余裕角が減少し、転流失敗を起こす虞がある。
等が挙げられる。
【００１２】
こうしたことから、電圧歪みの影響を低減するために、同期信号の基準位相を検出する回路に１次遅れのフィルタを挿入することが一般的な手段で、電圧歪みの影響を十分に低減するためにフィルタの時定数を大きくすることが考えられるが、フィルタの時定数を大きくすると電源周波数変動に対する基準位相のずれが大きくなる。これを防ぐべくフィルタの時定数を小さくすると、結局は電圧歪みの影響を受けて基準位相の検出にずれが生じて位相制御特性が悪化してしまう。
【特許文献１】特開平１１−２９９２９６号公報
【発明の開示】
【発明が解決しようとする課題】
【００１３】
上記のような状況に鑑みて本発明はなされたもので、その目的とするところは位相制御特性を悪化させることなく、電圧歪みの影響を受け難くしたサイリスタ整流器を用いた位相制御装置を提供することにある。
【課題を解決するための手段】
【００１４】
本発明の位相制御装置は、サイリスタ整流器による制御によって変化する交流電圧と予め設定した目標電圧とから算出された偏差電圧と、前記交流電圧から得た前記サイリスタ整流器のゲート点弧の基準となる基準位相を同期信号として出力されたゲートパルス信号により前記交流電圧が前記目標電圧となるように制御する前記サイリスタ整流器による位相制御装置であって、前記同期信号を、当該同期信号に基づくゲートパルス信号を検出した時点から一定時間だけ同期信号保持部に保持し、その後に保持を解除して当該同期信号によって前記サイリスタ整流器を位相制御することを特徴とする。
【００１５】
また、サイリスタ整流器による制御によって変化する交流電圧と予め設定した目標電圧とから算出された偏差電圧と、前記交流電圧から得た前記サイリスタ整流器のゲート点弧の基準となる基準位相を同期信号として出力されたゲートパルス信号により前記交流電圧が前記目標電圧となるように制御する前記サイリスタ整流器による位相制御装置であって、前記同期信号を、当該同期信号に基づくゲートパルス信号を検出した時点から転流完了時点まで同期信号保持部に保持し、その後に保持を解除して当該同期信号によって前記サイリスタ整流器を位相制御することを特徴とする。
【００１６】
またサイリスタ整流器による制御によって変化する交流電圧と予め設定した目標電圧とから算出された偏差電圧と、前記交流電圧から得た前記サイリスタ整流器のゲート点弧の基準となる基準位相を同期信号として出力されたゲートパルス信号により前記交流電圧が前記目標電圧となるように制御する前記サイリスタ整流器による位相制御装置であって、前記同期信号を、当該同期信号に基づくゲートパルス信号を検出した時点から前記サイリスタ整流器の制御入力量に基づき算出された転流完了時点まで同期信号保持部に保持し、その後に保持を解除して当該同期信号によって前記サイリスタ整流器を位相制御することを特徴とする。
【発明の効果】
【００１７】
本発明によれば、サイリスタ整流器を用いた位相制御で、位相制御特性を悪化させず、電圧歪みの影響を除去することができる等の効果を有する。
【発明を実施するための最良の形態】
【００１８】
以下本発明の実施の形態を、図面を参照して説明する。
【実施例１】
【００１９】
先ず第１の実施形態を図１及び図２により説明する。図１はサイリスタ整流器を用いた位相制御装置が適用された同期発電機の励磁制御装置の構成図であり、図２は自動電圧調整器の要部の構成図である。なお、従来と同一部分には同一符号を付して説明を省略し、従来と異なる本実施形態の構成について説明する。
【００２０】
図１及び図２において、同期機である多相交流同期発電機１の界磁巻線２を励磁する励磁制御装置は、例えば６個のＵ，Ｘ，Ｖ，Ｙ，Ｗ，Ｚの各サイリスタで構成されるサイリスタ整流器３による位相制御装置２１となっている。また位相制御装置２１は、サイリスタ整流器３に位相制御するためのゲートパルス信号（ＰＵ，ＰＸ，ＰＶ，ＰＹ，ＰＷ，ＰＺ）を出力する位相制御回路２２を有する自動電圧調整器（ＡＶＲ）２３を備えて構成されている。
【００２１】
自動電圧調整器２３は、同期発電機１の出力側電路に接続された電圧変成器６の出力電圧と電圧設定器７に予め設定された目標電圧とを比較して偏差電圧をＡＶＲ位相制御信号として出力する差電圧検出器８と、差電圧検出器８の出力信号を増幅して位相制御回路２２に出力する増幅器１２と、同期信号保持部を構成する同期信号保持回路２４と位相制御信号検出演算回路２５を備えている。
【００２２】
そして同期信号保持回路２４は、サイリスタ整流器３の交流電源として動作する励磁用変圧器４の出力側に接続された同期信号用変圧器９を介してサイリスタ整流器３の交流電源の各線間電圧を同期信号（Ｕ相同期信号、Ｖ相同期信号、Ｗ相同期信号）として取り込むと共に、同期信号を一定時間保持した後に位相制御回路２２に出力する。さらに位相制御信号検出演算回路２５は、自動電圧調整器２３の出力信号、すなわち位相制御回路２２の出力信号であるゲートパルス信号を入力とし、この入力したゲートパルス信号に基づいて同期信号保持時間を演算して保持信号を同期信号保持回路２４に出力する。
【００２３】
なお、位相制御回路２２は、同期信号保持回路２４から入力した同期信号中のリップルを除去するフィルタ回路２６と、フィルタ回路２６からの同期信号の電圧が０Ｖとなる点（基準点（ゼロクロス））を検出するゼロクロス検出回路２７と、ゼロクロス検出回路２７の出力とＡＶＲ位相制御信号を得てゲートパルス信号を出力するパルス発生回路２８とを備えている。
【００２４】
一方、位相制御信号検出演算回路２５については、位相制御回路２２からゲートパルス信号（ＰＵ，ＰＸ，ＰＶ，ＰＹ，ＰＷ，ＰＺ）のうちのいずれが出力されたかを検知するゲートパルス信号入検出回路２９と、ゲートパルス信号入検出回路２９からのゲートパルス信号検知の信号が入力したことにより同期信号を保持する時間を演算し、同期信号を保持するための保持信号を出力する限時保持回路３０で構成されている。さらに限時保持回路３０は、同期信号を、例えば転流時の電圧歪みが実質なくなって転流が完了するまでの時間を一定保持時間として設定する限時設定器３１と、ゲートパルス信号の出力を、それを検知したタイミングから限時設定器３１で設定された一定保持時間の間保持する一定限時保持回路３２で構成されている。
【００２５】
このように構成されたものでは、多相交流同期発電機１での発電は、界磁巻線２をサイリスタ整流器３による位相制御装置２１で励磁することにより行なわれ、サイリスタ整流器３の位相制御は、同期発電機１の出力側電路に接続された励磁用変圧器４の出力側を交流電源とし、ここから同期信号を得て行なわれる。
【００２６】
このとき位相制御装置２１では、励磁用変圧器４の出力側に接続された同期信号用変圧器９で検出された同期信号について、位相制御回路２２で同期信号の電圧が０Ｖとなるゼロクロス点の検出が行なわれ、検出されたゼロクロス点を位相制御の基準点としてゲートパルス信号の出力が行なわれる。しかし同期信号保持回路２４では、位相制御信号検出演算回路２５においてゲートパルス信号入検出回路２９がゲートパルス信号の出力を検知したタイミングを開始点として限時設定器３１で設定された一定保持時間の間、一定限時保持回路３２がゲートパルス信号を保持する。
【００２７】
それにより、その間限時保持回路３０は保持状態となり、さらに保持状態の限時保持回路３０から出力された信号によって同期信号保持回路２４では、当該同期信号の選択状態を、転流時の電圧歪みが略なくなるまでの一定保持時間の間保持する状態となる。そして、一定保持時間が経過した後、限時保持回路３０が保持状態から復帰して、位相制御装置２１は通常の位相制御状態となる。
【００２８】
このようにサイリスタ整流器３の位相制御を行うことで、位相制御特性を悪化させることなく、転流時の電圧歪みの影響が除去され、同期信号の平滑化が行なわれ、それによって電圧歪みの影響を受け難い、安定した位相制御装置２１を得ることができる。
【実施例２】
【００２９】
次に第２の実施形態を図３乃至図５により説明する。第２の実施形態は第１の実施形態と自動電圧調整器の位相制御信号検出演算回路と同期発電機の界磁部が異なる以外は、基本構成が同じである。図３はサイリスタ整流器を用いた位相制御装置が適用された同期発電機の励磁制御装置の構成図であり、図４は自動電圧調整器の要部の構成図であり、図５は同期発電機の界磁部の構成図である。なお、第１の実施形態と同一部分には同一符号を付して説明を省略し、第１の実施形態と異なる本実施形態の構成について説明する。
【００３０】
図３乃至図５において、同期発電機１の界磁巻線２を励磁するサイリスタ整流器３による位相制御装置３５は、サイリスタ整流器３に位相制御するためのゲートパルス信号（ＰＵ，ＰＸ，ＰＶ，ＰＹ，ＰＷ，ＰＺ）を出力する位相制御回路２２を有する自動電圧調整器（ＡＶＲ）３６を備えて構成されている。この自動電圧調整器３６は、差電圧検出器８から出力された偏差電圧のＡＶＲ位相制御信号が増幅されて入力する位相制御回路２２と、同期信号保持部を構成する同期信号保持回路２４と、位相制御信号検出演算回路３７を備えている。
【００３１】
そして同期信号保持回路２４は、サイリスタ整流器３の交流電源として動作する励磁用変圧器４の出力側に接続された同期信号用変圧器９を介してサイリスタ整流器３の交流電源の各線間電圧を同期信号（Ｕ相同期信号、Ｖ相同期信号、Ｗ相同期信号）として取り込むと共に、同期信号を一定時間保持した後に位相制御回路２２に出力する。さらに位相制御信号検出演算回路３７は、自動電圧調整器３６の出力信号、すなわち位相制御回路２２の出力信号であるゲートパルス信号と後述する転流完了信号を入力とし、これら入力信号に基づいて同期信号保持時間を演算して保持信号を同期信号保持回路２４に出力する。
【００３２】
なお、位相制御回路２２は、同期信号保持回路２４からの同期信号中のリップルを除去するフィルタ回路２６と、フィルタ回路２６からの同期信号の０Ｖ点を検出するゼロクロス検出回路２７と、ゼロクロス検出回路２７の出力とＡＶＲ位相制御信号を得てゲートパルス信号を出力するパルス発生回路２８とを備えている。
【００３３】
一方、位相制御信号検出演算回路３７については、位相制御回路２２からゲートパルス信号（ＰＵ，ＰＸ，ＰＶ，ＰＹ，ＰＷ，ＰＺ）のうちのいずれが出力されたかを検知するゲートパルス信号入検出回路２９と、ゲートパルス信号入検出回路２９からのゲートパルス信号検知の信号が入力したことにより同期信号の保持を行うよう、また後述の転流完了信号を得て保持状態を復帰するよう同期信号保持回路２４に各信号を出力する限時保持回路３８と、サイリスタ整流器３の交流電源の各相に挿入した変流器３９Ｕ，３９Ｖ，３９Ｗの出力電流ＩＲ，ＩＳ，ＩＴより転流完了を検出し、転流完了信号を限時保持回路３８に出力する転流完了検出回路４０で構成されている。
【００３４】
さらに限時保持回路３８は、ゲートパルス信号検知の信号が入力した後、転流完了検出回路４０から転流完了の検出信号が入力するまでの時間を同期信号の一定保持時間とする外部条件入力付限時回路４１と、ゲートパルス信号の出力をゲートパルス信号入検出回路２９が検知したタイミングで一定時間保持する一定限時保持回路３２で構成されている。
【００３５】
さらにまた、転流完了検出回路４０は、変流器３９Ｕ，３９Ｖ，３９Ｗの各出力電流ＩＲ，ＩＳ，ＩＴを常時検出し、波形成形を行うことによって転流完了したか否かが常時検出できるよう、各出力電流ＩＲ，ＩＳ，ＩＴのそれぞれ絶対値を検出する絶対値検出回路４２、低値を検出する低値検出回路４３、立上りを検出する立上り検出回路４４を備えている。
【００３６】
そして、このように構成されたものでは、多相交流同期発電機１での発電は、界磁巻線２をサイリスタ整流器３による位相制御装置３５で励磁することにより行なわれ、サイリスタ整流器３の位相制御は、同期発電機１の出力側電路に接続された励磁用変圧器４の出力側を交流電源とし同期信号を得て行なわれる。
【００３７】
このとき位相制御装置３５では、励磁用変圧器４の出力側に接続された同期信号用変圧器９で検出された同期信号について、位相制御回路２２で同期信号の電圧が０Ｖとなるゼロクロス点の検出が行なわれ、検出されたゼロクロス点を位相制御の基準点としてゲートパルス信号の出力が行なわれる。しかし同期信号保持回路２４では、位相制御信号検出演算回路３７においてゲートパルス信号入検出回路２９がゲートパルス信号の出力を検知したタイミングを開始点として外部条件入力付限時回路４１で転流完了を検出するまでの一定時間、一定限時保持回路３２が、ゲートパルス信号を保持する。
【００３８】
それにより、その間限時保持回路３８は保持状態となり、さらに保持状態の限時保持回路３８から出力された信号によって同期信号保持回路２４では、当該同期信号の選択状態を一定保持時間の間保持する状態となる。その後、各出力電流ＩＲ，ＩＳ，ＩＴのうちの当該点弧相より前の点弧相の出力電流が０となった時点、すなわち当該点弧相への転流が完了した時点で限時保持回路３８が保持状態から復帰して、位相制御装置３５は通常の位相制御状態となる。
【００３９】
このようにサイリスタ整流器３の位相制御を行うことで、位相制御特性を悪化させることなく転流時の電圧歪みの影響が除去され、同期信号の平滑化が行なわれ、それにより本実施形態でも第１の実施形態と同様に、電圧歪みの影響を受け難い、安定した位相制御装置３５を得ることができる。
【実施例３】
【００４０】
次に第３の実施形態を図６及び図７により説明する。第３の実施形態も第２の実施形態と同様に、第１の実施形態と自動電圧調整器の位相制御信号検出演算回路と同期発電機の界磁部が異なる以外は、基本構成が同じである。図６はサイリスタ整流器を用いた位相制御装置が適用された同期発電機の励磁制御装置の構成図であり、図７は自動電圧調整器の要部の構成図である。なお、第１の実施形態及び第２の実施形態と同一部分には同一符号を付して説明を省略し、第１の実施形態及び第２の実施形態と異なる本実施形態の構成について説明する。
【００４１】
図６及び図７において、同期発電機１の界磁巻線２を励磁するサイリスタ整流器３による位相制御装置４５は、サイリスタ整流器３に位相制御するためのゲートパルス信号（ＰＵ，ＰＸ，ＰＶ，ＰＹ，ＰＷ，ＰＺ）を出力する位相制御回路２２を有する自動電圧調整器（ＡＶＲ）４６を備えて構成されている。この自動電圧調整器４６は、差電圧検出器８から出力された偏差電圧のＡＶＲ位相制御信号が増幅されて入力する位相制御回路２２と、同期信号保持部を構成する同期信号保持回路２４と、位相制御信号検出演算回路４７を備えている。
【００４２】
そして同期信号保持回路２４は、サイリスタ整流器３の交流電源として動作する励磁用変圧器４の出力側に接続された同期信号用変圧器９を介してサイリスタ整流器３の交流電源の各線間電圧を同期信号（Ｕ相同期信号、Ｖ相同期信号、Ｗ相同期信号）として取り込むと共に、同期信号を一定時間保持した後に位相制御回路２２に出力する。さらに位相制御信号検出演算回路４７は、自動電圧調整器４６の出力信号、すなわち位相制御回路２２の出力信号であるゲートパルス信号と、サイリスタ整流器３の交流電源から得た点弧相の出力電流及び各相同期信号の出力電圧を入力とし、これら入力に基づいて同期信号保持時間を演算して保持信号を同期信号保持回路２４に出力する。
【００４３】
なお、位相制御回路２２は、同期信号保持回路２４からの同期信号中のリップルを除去するフィルタ回路２６と、フィルタ回路２６からの同期信号の０Ｖ点を検出するゼロクロス検出回路２７と、ゼロクロス検出回路２７の出力とＡＶＲ位相制御信号を得てゲートパルス信号を出力するパルス発生回路２８とを備えている。
【００４４】
一方、位相制御信号検出演算回路４７については、位相制御回路２２からゲートパルス信号（ＰＵ，ＰＸ，ＰＶ，ＰＹ，ＰＷ，ＰＺ）のうちのいずれが出力されたかを検知するゲートパルス信号入検出回路２９と、ゲートパルス信号入検出回路２９からのゲートパルス信号検知の信号が入力したことにより同期信号の保持を行うよう、またゲートパルス信号を検知したタイミングを開始点として転流期間及び転流完了と見なされる時点を演算し、保持状態を復帰するよう同期信号保持回路２４に信号を出力する限時保持回路４８と、サイリスタ整流器３の交流電源の各相に挿入した変流器３９の各出力電流ＩＵ，ＩＶ，ＩＷから点弧相の出力電流を選択検出し、検出したサイリスタ整流器３の出力電流Ｉの信号を限時保持回路４８に出力する電流検出回路４９と、サイリスタ整流器３の交流電源の各線間電圧ＶＵ，ＶＶ，ＶＷから点弧相の出力電圧を選択検出し、検出したサイリスタ整流器３の出力電圧Ｖの信号を限時保持回路４８に出力する電圧検出回路５０で構成されている。
【００４５】
さらに限時保持回路４８は、制御入力量として電流検出回路４９と電圧検出回路５０からの各信号を得、重なり角をｕ、位相制御角をαとし、これらに基づき転流期間Ｔｕを
Ｔｕ＝［ＣＯＳ−１｛ＣＯＳα−（％ＩＺ・Ｉ／Ｖ）｝−α］／２πｆ  …（２）式
但し、  ％ＩＺ：励磁用変圧器４の内部インピーダンス
Ｉ    ：サイリスタ整流器３の出力電流
Ｖ    ：サイリスタ整流器３の出力電圧
の式によって演算して当該相への転流が完了すると見なされるまでの期間を算出し、ゲートパルス信号を検知したタイミングを開始点として転流完了と見なされる時点を演算する転流完了演算回路５１と、ゲートパルス信号の出力をゲートパルス信号入検出回路２９が検知したタイミングで一定時間保持する一定限時保持回路３２で構成されている。
【００４６】
そして、このように構成されたものでは、多相交流同期発電機１での発電は、界磁巻線２をサイリスタ整流器３による位相制御装置４５で励磁することにより行なわれ、サイリスタ整流器３の位相制御は、同期発電機１の出力側電路に接続された励磁用変圧器４の出力側を交流電源とし同期信号を得て行なわれる。
【００４７】
このとき位相制御装置４５では、励磁用変圧器４の出力側に接続された同期信号用変圧器９で検出された同期信号について、位相制御回路２２で同期信号の電圧が０Ｖとなるゼロクロス点の検出が行なわれ、検出されたゼロクロス点を位相制御の基準点としてゲートパルス信号の出力が行なわれる。しかし同期信号保持回路２４では、位相制御信号検出演算回路４７においてゲートパルス信号入検出回路２９がゲートパルス信号の出力を検知したタイミングを開始点として転流完了演算回路５１で演算した転流完了と見なされる時点までの転流期間、一定限時保持回路３２がゲートパルス信号を保持する。
【００４８】
これにより、その間限時保持回路４８は保持状態となり、さらに保持状態の限時保持回路４８から出力された信号によって同期信号保持回路２４では、当該同期信号の選択状態を算出された転流期間の間保持する状態となる。その後、転流完了演算回路５１が演算した転流完了と見なされる時点で限時保持回路４８が保持状態から復帰して、位相制御装置４５は通常の位相制御状態となる。
【００４９】
このようにサイリスタ整流器３の位相制御を行うことで、位相制御特性を悪化させることなく転流時の電圧歪みの影響が除去され、同期信号の平滑化が行なわれ、それにより本実施形態でも第１の実施形態、第２の実施形態と同様に、電圧歪みの影響を受け難い、安定した位相制御装置４５を得ることができる。
【図面の簡単な説明】
【００５０】
【図１】本発明の第１の実施形態に係るサイリスタ整流器を用いた位相制御装置が適用された同期発電機の励磁制御装置の構成図である。
【図２】本発明の第１の実施形態における自動電圧調整器の要部の構成図である。
【図３】本発明の第２の実施形態に係るサイリスタ整流器を用いた位相制御装置が適用された同期発電機の励磁制御装置の構成図である。
【図４】本発明の第２の実施形態における自動電圧調整器の要部の構成図である。
【図５】本発明の第２の実施形態における同期発電機の界磁部の構成図である。
【図６】本発明の第３の実施形態に係るサイリスタ整流器を用いた位相制御装置が適用された同期発電機の励磁制御装置の構成図である。
【図７】本発明の第３の実施形態における自動電圧調整器の要部の構成図である。
【図８】従来技術における同期機の励磁制御装置の構成図である。
【図９】従来技術における同期発電機の界磁部の構成図である。
【図１０】従来技術における転流の様子を説明するための図である。
【符号の説明】
【００５１】
１…同期発電機
２…界磁巻線
３…サイリスタ整流器
４…励磁用変圧器
６…電圧変成器
７…電圧設定器
８…差電圧検出器
９…同期信号用変圧器
２２…位相制御回路
２３…自動電圧調整器
２４…同期信号保持回路
２５…位相制御信号検出演算回路
【図１】
2009268167.tif 000003
【図２】
2009268167.tif 000004
【図３】
2009268167.tif 000005
【図４】
2009268167.tif 000006
【図５】
2009268167.tif 000007
【図６】
2009268167.tif 000008
【図７】
2009268167.tif 000009
【図８】
2009268167.tif 000010
【図９】
2009268167.tif 000011
【図１０】
2009268167.tif 000012